(57)【要約】【課題】  掃除時底板と被掃除面との密着性を維持させ掃除精度と掃除効率をアップするための真空掃除機の吸引ブラシを提供する。【解決手段】  カバーと、真空掃除機の本体に内蔵された真空源から発生された吸込力によって被掃除面のごみを吸い込む吸込口が形成され、前記カバーに回動自在に設けられる底板を含む。【選択図】      図３
2006021019.tif 000002
【特許請求の範囲】
【請求項１】
カバーと、
真空掃除機の本体に内蔵された真空源から発生された吸込力により被掃除面のごみを吸い込む吸込口が形成され、前記カバーに回動自在に設けられる底板とを含むことを特徴とする真空掃除機の吸引ブラシ。
【請求項２】
前記底板の一端が一方向に付勢されるよう前記底板と前記カバーとの間に設けられる弾性部材をさらに含むことを特徴とする請求項１に記載の真空掃除機の吸引ブラシ。
【請求項３】
前記底板の回動角度を制限するよう前記底板と前記カバーのうち少なくともいずれか１つに設けられる底板ストッパをさらに含むことを特徴とする請求項２に記載の真空掃除機の吸引ブラシ。
【請求項４】
前記底板が前記カバーで選択的に固定されるよう前記カバーと前記底板との間に設けられる底板固定ユニットをさらに含むことを特徴とする請求項３に記載の真空掃除機の吸引ブラシ。
【請求項５】
前記底板固定ユニットは、
前記カバーに貫通形成された貫通孔を介して外部に露出される操作ノブと第１ロッキング部を備え、前記カバーの内部に回動自在に設けられるフットスイッチと、
前記フットスイッチの回動と連動されるよう前記カバーの内部に回動自在に設けられ、前記第１ロッキング部と相補的な働きによってロッキング/アンロッキングされる第２ロッキング部を有するブラシプレートとを含むことを特徴とする請求項４に記載の真空掃除機の吸引ブラシ。
【請求項６】
前記ブラシプレートの回動状態によって前記カバーと前記底板との間に出没されるよう前記ブラシプレートに装着されるブラシをさらに含むことを特徴とする請求項５に記載の真空掃除機の吸引ブラシ。
【請求項７】
前記フットスイッチの回動軸が結合されるよう軸孔が形成され、前記カバーに一定間隔をなすよう形成されたフットスイッチの支持リブを含み、
前記フットスイッチの回動軸と前記ブラシプレートの支持リブのうち少なくともいずれか１つには前記フットスイッチの回動軸が前記軸孔に加圧され結合されるよう傾斜面が形成されることを特徴とする請求項４に記載の真空掃除機の吸引ブラシ。
【請求項８】
前記ブラシプレートの回動軸が結合されるよう軸孔が形成され、前記カバーに一定間隔をなすよう形成されたブラシプレートの支持リブを含み、
前記ブラシプレートの回動軸と前記ブラシプレートの支持リブのうち少なくともいずれか１つには前記ブラシプレートの回動軸が前記軸孔に加圧され結合されるよう傾斜面が形成されることを特徴とする請求項４に記載の真空掃除機の吸引ブラシ。
【請求項９】
前記底板と前記カバーのうち少なくともいずれか１つに形成された前記底板の回動軸と、
前記底板の回動軸が結合されるよう軸孔が形成され、前記底板の回動軸に対応するよう前記カバーと前記底板のうち少なくともいずれか１つに形成された底板支持リブを含み、
前記底板の回動軸と前記底板の支持リブのうちいずれか１つには前記底板の回動軸が前記軸孔に加圧され結合されるよう傾斜面が形成されることを特徴とする請求項１に記載の真空掃除機の吸引ブラシ。
【請求項１０】
ホイール及びホイール軸と、
前記ホイールが装着できるよう前記カバーの後端部に形成され、前記ホイール軸の挿入されるホイール軸孔が形成されたホイール装着部と、
前記ホイール軸に形成されたロッキング突起と、
前記ホイール軸が前記ホイール軸孔に挿入されロッキングできるよう前記ロッキング突起に対応するよう前記ホイール軸孔に形成されたロッキング溝とを含むことを特徴とする請求項１に記載の真空掃除機の吸引ブラシ。
【請求項１１】
カバーと、
真空掃除機の本体に内蔵された真空源から発生された吸込力により被掃除面のごみを吸い込む吸込口が形成され、前記カバーに結合され固定される底板と、
前記カバーに貫通形成された貫通孔を介して外部に露出される操作ノブと第１ロッキング部を備え、前記カバーの内部に回動自在に設けられるフットスイッチと、
前記フットスイッチの回動と連動されるよう前記カバーの内部に回動自在に設けられ、前記第１ロッキング部と相補的に働く第２ロッキング部を有するブラシプレートと、
前記ブラシプレートの回動状態によって前記カバーと前記底板との間に出没されるよう前記ブラシプレートに装着されるブラシとを含むことを特徴とする真空掃除機の吸引ブラシ。
【発明の詳細な説明】
【技術分野】
【０００１】
本発明は真空掃除機に係り、さらに詳しくはカーペットや床のような相異なる条件の被掃除面に対応する動作で掃除効率及び精度を上昇できるように構造が改善された吸引ブラシに関する。
【背景技術】
【０００２】
通常、真空掃除機は本体に内蔵された真空源の駆動によって発生される吸込力を用いて被掃除面のごみを吸い込む装置であって、図１に概略的に示されているように、真空力を発生させるモータ(図示せず)が内蔵された真空掃除機本体１０、被掃除面と対向してごみを吸い込む吸込口３９が形成された吸引ブラシ３０、吸引ブラシ３０で吸い込んだごみを真空掃除機本体１０に案内する延長流路２０を含んで構成される。
【０００３】
吸引ブラシ３０は複数個のボルト４０により結合される上部ハウジング３４と下部ハウジング３８を備え、下部ハウジング３８には被掃除面のごみが吸い込まれる吸込口３９が形成される。また、延長流路２０は吸引ブラシ３０に回動自在に連結される延長管コネクタ２６、延長管コネクタ２６に連結される延長管２４、一端が延長管２４に連結され、他端は真空掃除機本体１０に連結される吸込ホース２２を含む。
【０００４】
前述したような構成を有する真空掃除機はカーペット及び床などの多様な被掃除面を掃除するようになるが、掃除時ユーザは吸引ブラシ３０の前後進動作を反復しつつ掃除する。しかし、吸引ブラシ３０の後進時、ユーザが吸引ブラシ３０に伝える力の方向と吸引ブラシ３０の移動方向がずれて吸引ブラシ３０の後端部が被掃除面から離隔される現象が発生する。吸引ブラシ３０の後端部が離隔されれば、下部ハウジング３８に形成された底面は被掃除面と密着できなくて吸込力損失が発生し、よって掃除の精度が悪くなる。
【０００５】
また、床を掃除する時、下部ハウジング３８の底面は床と直接に接触され、この接触によって床に傷がつく現象が発生する。
【０００６】
そして、上部ハウジング３４と下部ハウジング３８が複数個のボルト４０によって組立てられるので、部品数と組立工数が増加して製造コストがアップすると同時に生産性が低下する問題点がある。
【発明の開示】
【発明が解決しようとする課題】
【０００７】
本発明は前述したような問題点を解決するために案出されたもので、その目的は掃除時底板と被掃除面の密着性を維持させ掃除精度と掃除効率をアップするよう改善された真空掃除機の吸引ブラシを提供するところにある。
【０００８】
本発明の他の目的は、床を掃除する際底板により床に傷かつかないように構造が改善された真空掃除機の吸引ブラシを提供するところにある。
【０００９】
本発明のさらに他の目的はボルトなどの締結部材が排除された設計構造によって組立性が向上された真空掃除機の吸引ブラシを提供するところにある。
【課題を解決するための手段】
【００１０】
前述したような目的を達成するため、本発明に係る真空掃除機の吸引ブラシは、カバーと、真空掃除機本体に内蔵された真空源から発生された吸込力により被掃除面のごみを吸い込む吸込口が形成され、前記カバーに回動自在に設けられる底板を含むことを特徴とする。
【００１１】
ここで、前記底板の一端が一方向に付勢されるように前記底板と前記カバーとの間に設けられる弾性部材をさらに含むことが良い。
【００１２】
また、前記底板の回動角度を制限するよう前記底板と前記カバーのうち少なくともいずれか１つに設けられる底板ストッパをさらに含むことが良い。これにより、底板は必要な所定角度範囲内でだけ回動する。
【００１３】
そして、前記底板が前記カバーで選択的に固定されるように前記カバーと前記底板との間に設けられる底板固定ユニットをさらに含むことが良い。
【００１４】
また、前記カバーに貫通形成された貫通孔を介して外部に露出される操作ノブと第１ロッキング部を備え、前記カバーの内部に回動自在に設けられるフットスイッチと、前記フットスイッチの回動と連動されるよう前記カバーの内部に回動自在に設けられ、前記第１ロッキング部と相補的に働く第２ロッキング部を有するブラシプレートを含むのが良い。
【００１５】
本発明の実施例による真空掃除機の吸引ブラシは、カバーと、前記カバーに回動自在に結合される底板と、前記底板と前記カバーとの間に設けられる底板固定ユニットとを含む。前記底板固定ユニットは前記カバーに回動自在に設けられるフットスイッチと前記フットスイッチと連動されるよう前記カバーに回動自在に設けられるブラシプレートを含む。前記フットスイッチには前記カバーの外部に露出されユーザが前記フットスイッチを回動させられるよう操作ノブが形成され、フットスイッチの両側部には第１ロッキング部が形成される。そして、前記ブラシプレートには第１ロッキング部に対応するよう第２ロッキング部が形成され、第１ロッキング部の回動により第２ロッキング部が回動されれば、前記ブラシプレートの前端部に装着されるブラシは前記カバー上で昇降する。また、前記ブラシプレートの前端部と前記底板との間には弾性部材が介在され前記ブラシプレートの前端部と前記底板の前端部を加圧する。
【００１６】
ユーザは操作ノブを通して底板回動モードと固定モードを選択することができる。ユーザが前記底板回動モードを選択した場合、前記底板の前端部が前記弾性部材により下向きに加圧され前記底板の後端部は底板ストッパにより支持される。このような状態で吸引ブラシの後端部が被掃除面から離隔されれば、被掃除面と前記底板との吸込力と、ユーザが吸引ブラシに伝達される力によって前記底板は回動を行ない、このような回動によって底板は相変わらず被掃除面と密着性を維持するようになる。
【００１７】
また、ユーザが固定モードを選択した場合、操作ノブの操作によって前記フットスイッチを回動させると前記第１ロッキング部が前記第２ロッキング部を下向きに加圧して前記ブラシプレートは下向きに回動させる。この際、前記ブラシプレートの前端部に設けられたブラシは底板の下向きに突出するようになる。これにより、吸引ブラシは後端部に設けられたホイールと前記ブラシにより支持され被掃除面と一定したギャップをもって掃除できるようになる。前述したような構造によって床などの被掃除面に傷がつく現象を防止することができる。また、前記ブラシプレートが下向きに回動することによって前記弾性部材は前記底板の前端部を回動モードでさらに強い弾性力に加圧するようになる。これにより、前記底板の前端部は弾性部材により支持され、前記底板の後端部は底板の後端部に形成された底板ストッパが前記カバーに形成されたブラシプレートの支持リブの先端に支持される。これにより、前記底板は前記カバー上で固定される。
【００１８】
そして、前記フットスイッチと、前記ブラシプレートと、前記底板には回動軸とが形成され、前記回動軸に対応するよう前記カバー上には回動軸孔が形成された支持リブを備える。この際、前記回動軸及び支持リブには前記回動軸と前記回動軸孔が円滑に挿入できるよう傾斜面が形成される。このような構造によって、前記吸引ブラシはボルトなどの別の締結部材を省略できて組立性を向上させられるのみならず部品数を削減できる。
【発明の効果】
【００１９】
以上述べたような本発明に係る吸引ブラシ及びこれを具備した真空掃除機によれば、吸引ブラシの底板がカバー上で回動自在に構成されることによって、吸引ブラシの後端部が被掃除面から離隔しても被掃除面と密着性を維持できて掃除の効率を向上させられる。
【００２０】
そして、床などのような被掃除面を掃除する際、底板固定モードに変換することによってブラシが底板の下向きに突出され、前記下向きに突出されたブラシによって吸引ブラシの前端が支持され、ホイールにより後端が支持されるようにすることによって被掃除面と底板との間に一定したギャップを維持させて被掃除面に傷がつくのを防止することができる。
【００２１】
また、吸引ブラシの各構成部品を組立てる時、ボルトなどの締結部材を使用せず各回動軸及び回動軸孔に傾斜面を形成して組立性が向上される。そして、前記締結部材の省略による部品数を削減できる。
【発明を実施するための最良の形態】
【００２２】
以下、添付した図面に基づき本発明の実施例による真空掃除機の吸引ブラシを詳述する。
【００２３】
図２及び図３を参照するに、本発明の実施例による真空掃除機の吸引ブラシは上部ケースを形成するカバー１００と、カバー１００に回動自在に設けられる底板１５０と、底板１５０を例えば、カーペットや床など被掃除面の種類によって回動型や固定型に選択できるようカバー１００と底板１５０との間に回動自在に設けられる底板固定ユニット３００と、カバー１００の後端に回動自在に結合されるホイール４１８とホイール軸４２０とを含む。
【００２４】
カバー１００は内部の両側壁に底板１５０が結合できるよう第１底板の回動軸１５２が形成される。そして、第１底板の回動軸１５２と同一軸上に後述する第２底板の回動軸１５６(図５参照)に対応するよう第２底板の回動軸孔１５８が形成された二つの第２底板の支持リブ１５７が形成される。第２底板の支持リブ１５７の間には延長管コネクタ５００に連結される吸込ダクト１０８が形成される。また、カバー１００の上部の一側には後述するフットスイッチ操作ノブ３１４が外部に露出できるよう貫通孔１０４が形成される。そして、カバー１００の内部の上面に後述するブラシプレート３５０が回動自在に設けられように四つのブラシプレートの支持リブ３８４が形成され、前記ブラシプレートの支持リブ３８４にはブラシプレートの回動軸孔３８０がそれぞれ形成される。前記ブラシプレートの支持リブ３８４の前方には後述するフットスイッチ３１０がカバー１００に回動自在に設けられるよう二つのフットスイッチの支持リブ３３６が形成され、それぞれのフットスイッチの支持リブ３３６には後述するフットスイッチの回動軸３３０が挿入されるフットスイッチの回動軸孔３３４が形成される。そして、カバー１００の後端部には延長管コネクタ５００及びホイール４１８が装着できるようホイール装着部４００が形成される。このホイール装着部４００には左右方向にホイール軸４２０が挿入できるようホイール軸孔４１０が形成される。また、延長管コネクタ５００の前端部にはホイール軸孔４１０に対応する軸孔が形成される。ホイール軸４２０が前記軸孔及びホイール軸孔４１０に挿入され延長管コネクタ５００及びホイール４１８はカバー１００に回動自在に結合される。
【００２５】
底板１５０の両側部には第１底板の回動軸１５２に対応する第１底板の回動軸孔１５４が形成される。このような第１底板の回動軸孔１５４はカバー１００の内部の両側壁に形成された第１底板の回動軸１５２に結合され、底板１５０がカバー１００上で回動自在になる。このような構造で吸引ブラシの後端部が離隔される現象が発生しても底板１５０がカバー１００上で回動して被掃除面と密着性を維持することができる。そして、底板１５０の下面には吸込口１７６に連結されるごみ移動チャネル１７２が形成され、吸込口１７６の前後には底板１５０と被掃除面との間に空間を維持するためのスペーサ１７４が形成される。また、底板１５０の後端部には吸込口１７６に吸い込まれず後端部に通過されるごみを集めるためのラバーリップ１６８を装着できるようラバーリップ装着部１６０(図５参照)が形成される。
【００２６】
底板固定ユニット３００はカバー１００に回動自在に設けられるフットスイッチ３１０と、フットスイッチ３１０の下部に位置し、フットスイッチ３１０と連動され回動されるようカバー１００に設けられるブラシプレート３５０とを含む。
【００２７】
フットスイッチ３１０の一端にはユーザがフットスイッチ３１０を外部で作動できるようにカバー１００上に形成された貫通孔１０４を通して外部に露出される操作ノブ３１４が形成される。この操作ノブ３１４の後端部にはフットスイッチ３１０の一方向回動が制限されるよう第１フットスイッチストッパ３２４が形成される。また、操作ノブ３１４の下部とフットスイッチ３１０の他端には下向きに延びた第１ロッキング部３１８が形成される。本実施例では第１ロッキング部３１８は操作ノブ３１４の下部及びフットスイッチ３１０の他端で下向きに突出形成されたリブで構成される。そして、フットスイッチ３１０の両端部にはフットスイッチの回動軸３３０が形成される。このようなフットスイッチの回動軸３３０はカバー１００に形成されたフットスイッチの回動軸孔３３４に挿入され、カバー１００上で回動自在に設けられる。また、フットスイッチの回動軸３３０には前記フットスイッチの回動軸孔３３４に容易に挿設されうるよう傾斜面(Ｓ)が形成される。フットスイッチ３１０の中央部にはフットスイッチ３１０の両端部を連結し、フットスイッチ３１０の他方向回動を制限する第２フットスイッチストッパ３２８が形成される。この第２フットスイッチストッパ３２８はカバー１００に形成された吸込ダクト１０８と接触してフットスイッチ３１０が他方向に所定角度以上回動されることを制限する。
【００２８】
ブラシプレート３５０の後端部には二つのブラシプレートの回動軸３７６が形成される。この二つのブラシプレートの回動軸３７６はバー１００に形成されたブラシプレートの回動軸孔３８０(図４Ｂ参照)に挿入されブラシプレート３５０がカバー１００に回動自在に設けられる。ブラシプレートの回動軸３７６の前部には第１ロッキング部３１８と接触される一対の第２ロッキング部３５８が形成される。また、ブラシプレート３５０の前方左右中心部には弾性部材２００が挿入されうるよう弾性部材装着部２１０が形成される。本実施例では弾性部材２００としてコイルバネを使用しているが、その他弾性力を有する部材なら多様な種類の弾性部材が使用されうる。このような弾性性部材２００は一端は弾性部材装着部２１０に固定され、他端は底板１５０の前端部に設けられ、底板１５０を一方向(Ａ方向)に付勢させる。そして、ブラシプレート３５０の前端部にはブラシ３７２が装着できるようブラシ装着部３６８が形成される。ブラシ３７２はブラシプレート３５０の前端に設けられ、第１ロッキング部３１８が回動時第２ロッキング部３５８を加圧して連動させることによってブラシプレート３５０が回動し、このブラシプレート３５０の回動によってブラシ３７２はカバー１００上で昇降する。
【００２９】
以下、図３を参照して本発明の実施例による吸引ブラシの組立方法を説明する。
【００３０】
まず、カバー１００にフットスイッチ３１０を装着する。この際、フットスイッチ３１０の一端に形成された操作ノブ３１４は貫通孔１０４に挿入され、フットスイッチ３１０の両端に形成されたフットスイッチの回動軸３３０はカバー１００に形成されたフットスイッチの回動軸孔３３４に加圧され挿入される。次いで、ブラシプレート３５０をカバー１００に装着する。この際、ブラシプレート３５０の一側部に形成されたブラシプレートの回動軸３７６はカバー１００に形成されたブラシプレートの回動軸孔３８０(図４Ｂ)に加圧され挿入される。ブラシプレート３５０が装着された状態でブラシプレート３５０に形成された一対の第２ロッキング部３５８はフットスイッチ３１０に形成された第１ロッキング部３１８と接触するようになる。そして、ブラシプレート３５０の左右中心に形成された弾性部材装着部２１０に弾性部材２００を挿入する。最後に、底板１５０をカバー１００に結合するようになる。このような結合は底板１５０に形成された第１底板の回動軸孔１５４と第２底板の回動軸１５６をそれぞれカバー１００に形成された第１底板の回動軸１５２と第２底板の回動軸孔１５８に加圧して挿入することによってなされる。この際、弾性部材２００の一端は底板１５０の前端部に圧縮され接触される。従って、弾性部材２００は底板１５０の前端部を加圧して他方向(Ｂ方向)に回動されるよう支持している状態であり、底板１５０の後端部は後述する底板ストッパ１６４(図５参照)によって支持される。このような構造で底板１５０は水平状態を維持する。
【００３１】
図４Ａ及び図４Ｂを参照するに、ブラシプレートの支持リブ３８４と、フットスイッチの支持リブ３３４と、第１底板の回動軸１５２と、第２底板の支持リブ１５７にはそれぞれ傾斜面(Ｓ)が形成される。このような傾斜面(Ｓ)は、底板固定ユニット３００(図３参照)をカバー１００に設置する際、各回動軸１５２、１５６、３３０、３７６の進入を円滑にするよう案内して、それぞれの回動軸孔１５４、１５８、３３４、３８０に容易に挿入できるようになる。
【００３２】
図５を参照するに、底板１５０の上面には第１底板の回動軸孔１５４と同一軸上に二つの第２底板の回動軸１５６が形成される。二つの第２底板の回動軸１５６の間には被掃除面のごみが吸い込まれるよう吸引ブラシに貫通形成された吸込口１７６が形成され、この吸込口１７６は吸込ダクト１０８(図３参照)と連通される。また、底板１５０の後端部にはラバーリップ装着部１６０が上向きに突出形成される。そして、ラバーリップ装着部１６０の両側には底板１５０の一定角度以上に他方向(Ｂ方向)回動が制限されるよう底板ストッパ１６４が形成される。本実施例ではラバーリップ装着部１６０が底板ストッパ１６４の機能を果たす。しかし、別の部材を使用して底板ストッパ１６４の機能を果たすよう多様な形態の構造変更が可能であろう。底板１５０が他方向(Ｂ方向)に一定角度以上回動時底板ストッパ１６４はカバー１００(図３参照)の後端部に形成されたブラシプレートの支持リブ３８４(図３参照)の先端に接触するようになって底板１５０は他方向(Ｂ方向)にこれ以上回動されなくなる。
【００３３】
図６はフットスイッチとブラシプレートの連動動作を示すために図３のVI-VIに沿って切開した断面図であって、同図を参照するに、第１ロッキング部３１８は操作ノブ３１４を操作することによって一定区間で回動するようになる。ここで、フットスイッチ３１０が一方向(Ｃ方向)回動が制限される地点に位置する時、第１ロッキング部３１８が位置する位置を第１位置(Ｐ１)と定義する。この際、フットスイッチ３１０は第２フットスイッチストッパ３２８(図３参照)が吸込ダクト１０８に接触することによって一方向(Ｃ方向)回動が制限される。そして、フットスイッチ３１０が他方向回動が制限される地点に位置する際、第１ロッキング部３１８の位置を第２位置(Ｐ２)と定義する。この際、第１フットスイッチストッパ３２４がカバー１００に接触することによって他方向(Ｄ方向)回転が制限される。第２ロッキング部３５８には第１ロッキング部３１８が第１位置(Ｐ１)に存する際第１ロッキング部３１８と接触される第１接触部３６０が形成され、第１ロッキング部３１８が第２位置(Ｐ２)に存する際第１ロッキング部３１８と接触される第２接触部３６２が形成される。そして、第２接触部３６０は第１接触部３６０の上部に位置して、第１ロッキング部３１８が第１位置(Ｐ１)から第２位置(Ｐ２)に移動する際、第１接触部３６０と接触されていた第１ロッキング部３１８の先端は第２接触部３６２と接触するようになる。この際、第１ロッキング部３１８は第２ロッキング部３５８を下向きに加圧してブラシプレート３５０はブラシプレートの回動軸３７６を中心に下向きに回動する。
【００３４】
図７は本発明の実施例によるホイール軸がカバーに装着される状態を示すために図３のVII-VIIに沿って切開した断面図である。
【００３５】
図７を参照するに、ホイール軸４２０の一側部にはホイール軸４２０の円周面に沿ってロッキング突起４２４が形成される。そして、ロッキング突起４２４に対応するようカバー１００の後端部に形成されたホイール軸孔４１０の内部にはロッキング溝４１４が形成される。このような構造で延長管コネクタ５００をカバー１００の後端部に挿入し、ホイール４１８をホイール装着部４００に装着した後、ホイール軸４２０をカバー１００及び延長管コネクタ及び延長管コネクタ５００(図３参照)に形成されたホイール軸孔４１０に挿入して延長管コネクタ５００及びホイール４１８をカバー１００に回動自在に設ける。この際、ホイール軸４２０に形成されたロッキング突起４２４はカバー１００のホイール軸孔４１０に形成されたロッキング突起４２４とロッキングされる。前述したように簡素な締結構造でホイール４１８及び延長管コネクタ５００は吸引ブラシに回動自在に結合できるようになって、組立性が向上されるだけではなく部品数を削減しうる。
【００３６】
図８Ａ及び図８Ｂはカバー上で底板が回動される回動モードと底板が固定される固定モードに変換される動作を説明するための側断面図である。掃除機のユーザは主にカーペットなどのような被掃除面を掃除する時、真空掃除機を回動モードの状態で使用する。これは、カーペットなどのような被掃除面を掃除する際、吸引ブラシの後端部が離隔される現象によって底板１５０が被掃除面と密着できなくなる。従って、吸引ブラシの後端部が離隔されても底板１５０がカバー１００上で回動され被掃除面に対する底板１５０の密着性を向上させるため回動モードで使用される。しかし、床などのような被掃除面は底板１５０が直接に被掃除面と接触する際被掃除面に傷がつくことなどが発生する。従って、床などのような被掃除面を掃除する際、吸引ブラシの底板１５０と被掃除面との間にギャップを維持するため、吸引ブラシの前端部にブラシ３７２が下向き突出され支持され、吸引ブラシの後端にはホイール４１８によって支持されるようにすることで被掃除面と一定ギャップを維持できるように底板固定モードの状態で掃除機を使用するようになる。
【００３７】
図８Ａは底板１５０がカバー１００上で回動自在な回動モード状態を示し、図８Ｂは底板１５０がカバー１００に固定される固定モード状態を示す。図８Ａを参照するに、フットスイッチ３１０の第２フットスイッチストッパ３２８(図３参照)が吸込ダクト１０８(図３参照)に支持され他方向(Ｃ方向、図６参照)回動が制限されている状態であり、フットスイッチ３１０の両側部に形成された第１ロッキング部３１８はブラシプレート３５０の両側部に形成された第２ロッキング部３５８の第１接触部３６０に接触されている状態である。また、底板１５０は前端が弾性部材２００によって下向きに加圧されている状態であり、後端が底板ストッパ１６４がブラシプレートの支持リブ３８４の先端と接触され支持されている状態である。そして、ブラシプレート３５０は前端が弾性部材２００によって上向きに加圧されている状態であり、後端部は第２ロッキング部３５８の第１接触部３６０が第１ロッキング部に支持されている状態である。
【００３８】
前述したような回動モードにおいてユーザは床のような被掃除面を掃除する際、足でフットスイッチ３１０の操作ノブ３１４の後端を押して固定モードに転換する。図８Ａ及び図８Ｂを参照して転換される過程を説明すれば、まずユーザが操作ノブ３１４の後端を加圧する。これにより、フットスイッチ３１０の一端及び操作ノブ３１４の下部に形成された第１ロッキング部３１８はフットスイッチの回動軸３３０を中心に回動するようになる。この際、第１ロッキング部３１８は第２ロッキング部３５８に形成された第１接触部３６０から第２接触部３６２に移動しつつ、第２ロッキング部３５８を加圧するようになる。このような加圧によってブラシプレート３５０はブラシプレートの回動軸３７６を中心に下向きに回動するようになる。このようなブラシプレート３５０の下向き回動によってブラシは下向きに移動され底板１５０の下部に突出するようになる。この際、ブラシプレート３５０の前端部に設けられブラシプレート３５０を上向きに圧縮していた弾性部材２００は第１ロッキング部３１８から伝達されるモーメントによって圧縮される。このような弾性部材２００の圧縮によって底板１５０の前端部は回動モードでさらに大きい弾性力を下向きに受けるようになる。従って、底板１５０は前端が圧縮された弾性部材２００によって回動モードより強力な弾性力で支持され、後端は底板ストッパ１６４がブラシプレートの支持リブ３８４の先端によって支持されることによって固定される。前述したような原理によってユーザは固定モードを選択して床を掃除することによって、底板１５０により床に傷がつくのを防止することができる。
【００３９】
図９Ａ及び図９Ｂは底板が回動される回動モードで底板が回動される動作を説明するための側断面図である。
【００４０】
図９Ａは吸引ブラシの後端部が離隔されない状態を示す。図９Ａに示したように、底板１５０はその前端部が弾性部材２００によって下向きに加圧され、後端部は底板ストッパ１６４がブラシプレートの支持リブ３８４の先端に接触して支持され、底板１５０は被掃除面と水平した状態を維持する。
【００４１】
図９Ｂは吸引ブラシの一定角度(θ)回動によって吸引ブラシの後端部が被掃除面から離隔された状態を示す。図９Ｂを参照するに、ユーザが吸引ブラシに加えた力はカバー１００、フットスイッチ３１０、ブラシプレート３５０を経て弾性部材２００に伝達される。この力の方向は弾性部材２００を下向きに圧縮する方向に働く。しかし、底板１５０の吸込力によって被掃除面に密着する力は底板の回動軸１５２、１５６を中心に時計回り方向にモーメントが発生し、このようなモーメントは底板１５０の前端部に付勢された弾性部材２００を上向きに圧縮する。結局、底板１５０が弾性部材２００を上向きに圧縮する力が弾性部材２００を下向きに圧縮する力より大きくなり、このことから底板１５０は時計回り方向に回動するようになって被掃除面と水平状態をそのまま維持するようになる。前述したような作用原理によって、ユーザが吸引ブラシに伝達する力の方向と吸引ブラシの移動方向がずれることによって吸引ブラシの後端部が被掃除面から離隔されても、底板１５０は被掃除面と密着性を維持することによって掃除の効率を向上させる。
【００４２】
また、吸引ブラシの後端部が離隔された状態で原位置に復帰する際、底板１５０は底板１５０の前端部を下向きに圧縮している弾性部材２００によって反時計方向に回動する。このような回動は底板ストッパ１６４がブラシプレートの支持リブ３８４の先端に接触される地点までなされて、図９Ａの状態に復帰する。
【産業上の利用可能性】
【００４３】
本発明は真空掃除機に係り、さらに詳しくはカーペットや床などのような相異なる条件の被掃除面に対応する動作で掃除効率及び精度を高められる構造が改善された吸引ブラシに関する。このような吸引ブラシはキャニスタ型真空掃除機だけではなく、アップライト型真空掃除機にも活用されうる。また、家庭用掃除機だけではなく、産業用として使われる産業用掃除機にも活用されうる。
【図面の簡単な説明】
【００４４】
【図１】一般の真空掃除機の要部を分離して概略的に示した 斜視図である。
【図２】本発明に係る真空掃除機の吸引ブラシを概略的に示した結合斜視図である。
【図３】本発明に係る真空掃除機の吸引ブラシを概略的に示した分解斜視図である。
【図４Ａ】図３の４Ａ-４Ａに沿って切開して示した断面図である。
【図４Ｂ】図３の４Ｂ-４Ｂに沿って切開して示した断面図である。
【図５】図３に示した底板を抜粋して示した斜視図である。
【図６】図３のVI-VIに沿って切開して示した断面図である。
【図７】図３のVII-VIIに沿って切開して示した断面図である。
【図８Ａ】本発明に係る真空掃除機の吸引ブラシ動作状態を説明するための側断面図である。
【図８Ｂ】本発明に係る真空掃除機の吸引ブラシ動作状態を説明するための側断面図である。
【図９Ａ】本発明に係る真空掃除機の吸引ブラシのさらに他の動作状態を説明するための側断面図である。
【図９Ｂ】本発明に係る真空掃除機の吸引ブラシのさらに他の動作状態を説明するための側断面図である。
【符号の説明】
【００４５】
１００  カバー
１０４  貫通孔
１５０  底板
１５２、１５６  第１及び第２底板の回動軸
１５４、１５８  第１及び第２底板の回動軸孔
１６４  底板ストッパ
２００  弾性部材
２１０  弾性部材装着部
３００  底板固定ユニット
３１０  フットスイッチ
３１４  操作ノブ
３１８  第１ロッキング部
３２０  フットスイッチストッパ
３３０  フットスイッチの回動軸
３３６  フットスイッチの支持リブ
３５０  ブラシプレート
３５８  第２ロッキング部
３６０  第１接触部
３６２  第２接触部
３６８  ブラシ装着部
３７６  ブラシプレートの回動軸
３８４  ブラシプレートの支持リブ
４００  ホイール装着部
４１０  ホイール軸孔
４１４  ロッキング溝
４２０  ホイール軸
４２４  ロッキング突起
５００  延長管コネクタ
Ｐ１    第１位置
Ｐ２    第２位置
Ｓ      傾斜面
【図１】
2006021019.tif 000003
【図２】
2006021019.tif 000004
【図３】
2006021019.tif 000005
【図４Ａ】
2006021019.tif 000006
【図４Ｂ】
2006021019.tif 000007
【図５】
2006021019.tif 000008
【図６】
2006021019.tif 000009
【図７】
2006021019.tif 000010
【図８Ａ】
2006021019.tif 000011
【図８Ｂ】
2006021019.tif 000012
【図９Ａ】
2006021019.tif 000013
【図９Ｂ】
2006021019.tif 000014